(57)【特許請求の範囲】
【請求項１】
真空装置のための調整装置と計器との組み合わせであって、
ａ．本体部および軸部を有する真空計と、
ｂ．第１の径の第１の部分から第２の径の第２の部分に向かって細くなる筒状体を有する調整装置であって、前記真空計が前記調整装置の内部に、且つ前記調整装置と同心的に設けられ、前記真空計の本体部が前記調整装置の前記第１の部分内に配置され、前記真空計の前記軸部が前記調整装置の前記第２の部分内に配置される、前記調整装置と、
ｃ．前記調整装置の前記第２の部分に形成される開口部と、
ｄ．前記調整装置の前記第２の部分に隣接して保持される傾斜した肩部とを備え、これにより前記調整装置が回動されると、前記肩部は前記開口部の可変部を暴露するか覆うことを特徴とする、真空装置のための調整装置と計器との組み合わせ。
【請求項２】
前記真空計の前記軸部の端部を超えて延びる前記調整装置の前記第２の部分の一部分に前記開口部が形成されることを特徴とする請求項１に記載の調整装置と計器との組み合わせ。
【請求項３】
前記開口部は、スロットであることを特徴とする請求項２に記載の調整装置と計器との組み合わせ。
【請求項４】
前記傾斜した肩部が螺旋形状にあることを特徴とする請求項１に記載の調整装置と計器との組み合わせ。
【請求項５】
前記傾斜した肩部は、真空チャンバの円筒状のポートの内側表面に形成され、更に、前記調整装置の前記第２の部分が前記ポートに配置されるとともに同ポート内にて回動可能であることを特徴とする請求項１に記載の調整装置と計器との組み合わせ。
【請求項６】
前記ポートは前記肩部の下方に第１の内径を画定し、同第１の内径は前記調整装置の前記第２の部分の外側表面の径であり、
更に、前記ポートは前記肩部の上方に前記第１の内径より大きい第２の内径を画定することを特徴とする請求項５に記載の調整装置と計器との組み合わせ。
【請求項７】
前記調整装置が前記ポート内にて回動すると、前記傾斜した肩部は回動方向に応じて前記開口部を覆うか暴露することを特徴とする請求項６に記載の調整装置と計器との組み合わせ。
【請求項８】
前記肩部の傾斜は非線形であることを特徴とする請求項６に記載の調整装置と計器との組み合わせ。
【請求項９】
マニホールドを更に備え、更に、前記円筒状のポートが前記マニホールドの本体に形成されることを特徴とする請求項６に記載の調整装置と計器との組み合わせ。
【請求項１０】
前記調整装置の前記第１の部分の一部分が、前記真空装置のハウジングの開口部を通じて延在することを特徴とする請求項６に記載の調整装置と計器との組み合わせ。
【請求項１１】
前記調整装置の前記第１の部分の前記一部分に形成されるとともに前記真空装置の前記ハウジングの前記開口部を通じて延在する傾斜部を更に備えることを特徴とする請求項１０に記載の調整装置と計器との組み合わせ。
【請求項１２】
前記傾斜部を回動させることにより、前記調整装置が前記ポート内を回動することを特徴とする請求項１１に記載の調整装置と計器との組み合わせ。
【請求項１３】
前記開口部は、前記調整装置の回動に従って所定の真空プロフィールを生成する形状に形成されることを特徴とする請求項６に記載の調整装置と計器との組み合わせ。
【請求項１４】
前記肩部は、前記調整装置の回動に従って所定の真空プロフィールを生成する形状に形成されることを特徴とする請求項６に記載の調整装置と計器との組み合わせ。
【請求項１５】
前記開口部および前記肩部は、前記調整装置の回動に従って所定の真空プロフィールを生成する形状に形成されることを特徴とする請求項６に記載の調整装置と計器との組み合わせ。
【請求項１６】
ａ．開口部を内部に形成するハウジングと、
ｂ．前記ハウジング内に配置されるとともに内部に円形のポートを形成するマニホールドと、
ｃ．前記マニホールドに連結される真空源と、
ｄ．調整装置と計器との組み合わせであって、前記計器は前記調整装置内に同心的に取り付けられ、前記調整装置は、前記ポートに係合するとともに前記ポート内にて回動するように構成される一部分を形成し、前記調整装置と計器との組み合わせは前記ハウジングに形成された前記開口部を通じて延在する、前記調整装置と計器との組み合わせと、
ｅ．前記ポートの内側表面に形成される傾斜した肩部であって、前記ポートは前記肩部より下方に第１の内径を画定し、同第１の内径は前記ポートと係合するように構成された前記調整装置の前記一部分の外側表面の径であり、前記ポートは前記肩部の上方に前記第１の内径より大きい第２の内径を画定する、前記傾斜した肩部と、
ｆ．前記ポートと係合するように構成された前記調整装置の前記一部分に形成される開口部であって、同開口部は、前記調整装置が前記ポートに対して回動されたときに前記傾斜した肩部が前記開口部上を移動するのに従い、前記第１の内径を有する前記ポートの前記内側表面によって暴露されるか覆われる、開口部とを備えることを特徴とする真空装置。
【請求項１７】
前記開口部が前記第１の内径を画定する前記ポートの部分によって完全に覆われる場合に、最も強い真空が得られることを特徴とする請求項１６に記載の真空装置。
【請求項１８】
前記開口部の覆いが完全に取り去られ、前記第２の径を画定する前記ポートの部分を通じて空気を前記開口部に進入させる場合に、最も弱い真空が得られることを特徴とする請求項１６に記載の真空装置。
【請求項１９】
前記調整装置および前記計器が一体的に回転することを特徴とする請求項１６に記載の真空装置。
【請求項２０】
前記ハウジングに形成される前記開口部を通じて延在する前記調整装置の部分に配置される傾斜部を更に形成することを特徴とする請求項１６に記載の真空装置。
【発明の詳細な説明】
【技術分野】
【０００１】
本発明は、真空を生じさせるとともに調整する装置の分野に関する。より詳細には、本発明は、医療の応用において使用されるそのような装置に関する。
【背景技術】
【０００２】
真空を生成し利用する装置は、当技術分野において公知である。医療の応用において、この装置は、例えば手術または歯科術中に体から液体や半液体を抽出するために、あるいは慢性の気道確保問題を有するヒトの気管、口、および鼻の通りをよくするために使用される吸気器のための外科的吸収を行うために、あるいは緊急の場合に外傷を負ったヒトの気管を清掃することに使用される医療用吸気器を提供するために使用される。
【０００３】
この装置は、マニホールドに接続されるとともに陰圧を生じさせるポンプから通常構成され、これは調整装置および真空計、並びに真空を使用する工具に更に接続される。調整装置により、真空の強度の調整および設定が可能であり、これは医療の応用において約５０ｍｍＨｇ乃至５００ｍｍＨｇ（約６．６６ｋＰａ乃至６６．６６ｋＰａ）以上に変動する。計器は、ｍｍＨｇあるいはインチＨｇにて通常示される真空の強度を示す。
【０００４】
真空の強度の調整は、マニホールドに進入する空気の量を調整することによって制御され、負圧を生成するために使用されるポンプの寸法や強度によって制限される。マニホールド内に空気を流れ込ませることにより、真空が弱化される傾向となるが、マニホールドを密閉したり、マニホールド内に流れ込む空気の量を制限することにより、真空がポンプの限度まで強化される。
【発明の概要】
【発明が解決しようとする課題】
【０００５】
現在の技術の最先端は、個別に接続される個別の調整装置および計器を有することにある。これは、マニホールドおよび装置のハウジングの設計を複雑化し、装置の部品数を増加させ、これにより装置のコストも高められる。１つの接続点にてマニホールドに接続可能な調整装置／計器の組み合わせを提供することが望ましいであろう。
【課題を解決するための手段】
【０００６】
本発明は、装置の使用者が容易に使用可能な一体的な調整装置および計器を備え、これらは一点にて装置マニホールドに接続され、一点にて装置ハウジングを退出し、装置の部品数を低減し、これによりコストを低減する。
【０００７】
装置は、漏斗状に形成された調整装置であって、その上に円筒形状のボスを形成した調整装置と、調整装置に挿入された容易に入手可能な市販の真空計を備える。調整装置は静止したハウジングや開口によりマニホールドに接続されてもよく、ここで調整装置は回動される。調整装置は、そのボス部分に開口部を形成する。ボスは、好ましくはマニホールドへのインターフェースである円筒状の面に接触し、これはその内側表面に形成される通常螺旋形状の傾斜した肩部を有する。調整装置が回動されると、通常、螺旋状に形成された肩部が、ボスに形成された開口部の大きさが漸増する部分を遮断し、これによりマニホールド内に空気を流れ込ませない。調整装置を反対方向に回動させることにより、ボスの開口部のより多くの部分が暴露され、これにより、より多くの空気をマニホールドに流れ込ませることができる。
【０００８】
計器は、好ましくは調整装置に対して同心的に並べられ、これにより、調整装置が回動する場合に、計器は調整装置とともに回動する。これにより、真空の強度が調整装置の回動により変わるので、磁気コンパスと同様に計器の目盛りの標示がこれに従って移動し、計器の針を静止させる効果が得られる。
【図面の簡単な説明】
【０００９】
【図１】調整装置／計器アセンブリを示す斜視図。
【図２】調整装置要素を示す斜視図。
【図３】計器要素を示す斜視図。
【図４ａ】調整装置／計器アセンブリの線Ａ−Ａにおける断面を示す側面平面図。
【図４ｂ】図４ａの装置の線Ａ−Ａにおける断面図。
【図５】一実施例におけるマニホールドを示す図。
【図６】図５のマニホールドの所定の位置における調整装置／計器アセンブリを示す断面図。
【図７】一実施例において装置のハウジングに調整装置／計器アセンブリを連結することに使用されるカラーを示す図。
【図８】実証のハウジングの所定の位置における調整装置／計器アセンブリおよびカラーを示す図。
【図９】実際の装置の所定の位置における調整装置／計器アセンブリを示す図。
【発明を実施するための形態】
【００１０】
図１に本質的に示される本発明の装置は、吸気器あるいは外科用吸引装置のような真空の制御を要求する装置のハウジングと一体的に構成される。図１に示すアセンブリ１００装置は、同軸上に嵌合して設けられる調整装置２００および真空計３００から本質的に構成され、好ましくは締まりばめにより構成され、これにより調整装置２００の回転によって真空計３００も回転される。
【００１１】
図２に示す調整装置２００は、円筒状のボス部２０６に向かって先端ほど細くなる筒状体部分２０４を備える。ボス部２０６は開口部２０８を内部に形成し、その目的は後述する。傾斜部２０２は、筒状体２０４の頂部に配置され、使用者が調整装置／計器アセンブリ１００を回転させることを支援するためにその上に形成される一体的な指状窪みを有する。
【００１２】
真空計３００は、好適な目盛りを有する容易に入手可能な市販の真空計から本質的に構成される。真空計の本体は調整装置２００の本体に挿入され、タブ３１０を介して調整装置２００と係合する。タブ３１０は、調整装置２００の筒状体２０４に形成される開口部２１２と係合する。調整装置２００の筒状体２０４に形成されたタブおよび窪みの正確な構成は、選択される真空計の構成に依存し、本発明の一部ではない。
【００１３】
真空計３００の軸３０６は、真空を内部に含むマニホールドやパイプに計器を嵌合させるために通常利用される取り付け具である。しかしながら、軸３０６は調整装置２００のボス部２０６に嵌入するであろう。計器３００の軸３０６はその上に、締まりばめを介してボス部２０６の内側表面に整合するネジを形成し、あるいは、ボス部２０６は、その内側表面に形成される相互のネジを有してもよい。好適に、計器３００が調整装置２００に嵌入する場合に、軸３０６は開口部２０８を超えて延びるものではない。
【００１４】
図４ａに、調整装置２００および計器３００の組み立てられたバージョンを示し、図４ｂに、断面のバージョンを示す。好ましくは、調整装置２００および計器３００は、相互に径方向に並べられ、これにより両者は同じ回動軸を中心として回動する。
【００１５】
図５は、吸引装置の典型的なマニホールド５００を示す。マニホールド５００は、調整装置／計器アセンブリ１００が取り付けられる接続具５０２、ポンプ接続部５０８、および排気ポート５０６を備える。ポート５０２内に傾斜した肩部５０４が形成され、これは好ましい実施例において、螺旋形状にある。ポート５０２の内側表面は、径ｄ１の、肩部の下方に形成される第１の筒状部を有し、ｄ１は、調整装置２００のボス部２０６の外径と同じ径である。調整装置２００のボス部２０６は、径ｄ１を有するポート５０２の部分内を回転するように構成される。肩部５０４の上方に配置されるポート５０２の第２の部分は、肩部５０４の幅による径ｄ１より大きい径ｄ２を有する。
【００１６】
肩部５０４は、調整装置２００がポート５０２内にて回転すると、回転の方向及び度合いに応じて開口部２０８の可変部が暴露されるか覆われるように、ポート５０２の内側表面に螺旋状に形成される。開口部２０８が完全に覆われる場合に、これは最大の真空が利用可能であることを示すであろう。調整装置２００の回転によって開口部２０８がより暴露されるにつれ、より多くの空気がボス部２０６と、径ｄ２（図６における参照番号５０６を参照）を有するポート５０２の部分との間に形成された空隙を介してマニホールド５００の内部容積内に流れ込み、これにより真空が弱化される。
【００１７】
図６は、調整装置／計器アセンブリ１００が挿入されたマニホールド５００を示す断面図である。肩部５０４がポート５０２の左側に示されることが理解される。肩部５０４の上方のポート５０２の部分は径ｄ２を有し、肩部５０４より下方のポート５０２の部分は径ｄ１を有するであろう。マニホールド５００の形状および構造は、マニホールド５００が傾斜した肩部５０４を形成し、その内部において調整装置２００のボス部２０６が回転可能である限り本発明の一部ではないものといえる。マニホールドにおいてポート５０２を形成さえする必要はなく、調整装置／計器アセンブリ１００を保持することに、カスタマイズされた配管が利用可能であることは、本発明の範囲内にある。
【００１８】
本発明の好ましい実施例において、傾斜した肩部５０４は、段階的に高さが変化する。しかしながら、肩部の高さは、ポート５０２の内周面の周囲にて変化することも可能である。すなわち、螺旋状の肩部５０４の一部は第１の傾斜部を有し、肩部５０４の第２の部分は、第２の傾斜部を有し、あるいは肩部５０４は湾曲されてもよく、これにより調整装置／計器アセンブリ１００がポート５０２内にて回転するときの真空の強度を異なる率にて変更することができる。調整装置２００のボス部２０６に形成される開口部２０８は、調整装置２００がポート５０２内にて回転するときに異なる真空プロフィールを形成する形状を有することも可能である。
【００１９】
調整装置／計器アセンブリ１００は装置のハウジングから延びるであろう。図７にこの目的のための接続具を示す。調整装置２００は接続具７００の開口部７０４に挿入され、ネジを設けた領域７０２が、本発明が適用される装置のハウジングと接触する。図８にこの装置の実例が示され、装置の本体８００および図７に示され上述した接続具７００が示される。調整装置および計器アセンブリが挿入されるとともにタブ２０１によって軸方向に固定され、接続具７００内にて自由に回動可能であることが視認される。接続具７００は、更に装置のハウジングと一体的に形成される。
【００２０】
図９は、この目的のために特に設計された装置のハウジングの一部分９０２内において調整装置／計器アセンブリ１００が回転可能であるより典型的な装置を示す。図９に例示的に示す装置は、患者の気管を吸引するための吸気器である。
【００２１】
計器３００および調整装置２００が一体的に同心的に回動することにより、計器３００の目盛りを計器３００の針３０３の下方にて移動させるという効果が得られ、これは回転されるとともに、静止した針の下方を移動する方向を有する磁気コンパスと同様に事実上静止して見える。これにより、計器を一地点から容易に読み取ることができ、また、計器と調整装置のために、装置９００のハウジングに個別の開口部を有する必要がなくなる。
【００２２】
本発明の好ましい実施例において、調整装置２００は、ポリカーボネート材料から好適に構成されるが、肩部は、熱可塑性エラストマーから好適に構成される。しかしながら、例えば金属を含む異なる材料から装置を形成することが可能である。
【００２３】
付加的に、肩部はマニホールド５００のポート５０２の内部と一体的である必要はない。これに代えて、肩部には、ポートに挿入されるとともに、締まりばめやポートの内側表面に嵌合する他のタイプの嵌合部によってポートに静止して保持される個別の軸受筒が設けられてもよい。
【００２４】
本発明の趣旨の範囲内にあるかぎり、この設計においていくつかの変更が可能であることが当業者によって認識される。例えば、調整装置２００の形状は、計器３００の外形、および調整装置／計器アセンブリ１００のハウジングの開口部とマニホールド５００との間に装置内に得られる空隙によって、駆動される。付加的に、マニホールドは設ける必要はない。装置は、個別の計器および調整装置が真空システムにおいて使用されるのと同様に、真空システムの接続具、配管に直接取り付けられる。
【図１】
0005883129.tif 000002
【図２】
0005883129.tif 000003
【図３】
0005883129.tif 000004
【図４ａ】
0005883129.tif 000005
【図４ｂ】
0005883129.tif 000006
【図５】
0005883129.tif 000007
【図６】
0005883129.tif 000008
【図７】
0005883129.tif 000009
【図８】
0005883129.tif 000010
【図９】
0005883129.tif 000011